(57)【特許請求の範囲】
【請求項１】
第一端部と該第一端部の反対側の第二端部とを有するカットアウト本体であって、内部にヒューズを収容可能な収容空間が形成されるとともに、該収容空間に連続する開口部が第一端部に形成されたカットアウト本体と、カットアウト本体の開口部に対して着脱可能に構成される蓋体であって、外面に筒状部が突設された蓋体と、カットアウト本体と蓋体とを連結するための索条とを備える円筒型カットアウトの蓋体取付工具であって、間接活線操作棒が連結される第一端部と該第一端部の反対側の第二端部とを有するベースと、ベースの第二端部に対して回転自在に連結される基端部と該基端部の反対側の先端部とを有するアームと、アームの先端部に連結され、蓋体の筒状部に挿入可能な挿入部と、ベースに連結された間接活線操作棒に対して挿入部が一列に並んだ状態で該アームの回転を規制可能なロック機構とを備え、該ロック機構は、ベースの第二端部に形成された切欠部と、アームに挿通され且つアームの先端と基端との間でスライド可能なロックピンであって、前記間接活線操作棒と挿入部とが一列に並んだ状態になると、切欠部に嵌合するように構成されるロックピンと、ロックピンをアームの基端部側に向けて付勢する付勢部材と、内部にアームが挿通され且つロックピンが固定されるカバー体であって、ロックピンとともにスライド可能なカバー体とを備えることを特徴とする円筒型カットアウトの蓋体取付工具。
【請求項２】
挿入部は、アームの回転によって、ベースに連結された間接活線操作棒に対して一列に並んだ第一姿勢と、該挿入部の先端部が該挿入部の基端部よりも間接活線操作棒側に位置する第二姿勢との間で姿勢変更可能に構成されることを特徴とする請求項１に記載の円筒型カットアウトの蓋体取付工具。
【発明の詳細な説明】
【技術分野】
【０００１】
本発明は、ヒューズを収容可能な収容空間が内部に形成されるとともに、該収容空間に連続する開口部が形成されるカットアウト本体と、カットアウト本体の開口部に取り付けられる蓋体とを備える円筒型カットアウトの蓋体取付工具に関する。
【背景技術】
【０００２】
従来から、変圧器等の各種機器が接続された電路には、各種機器に異常な電力が供給されることを防止するカットアウトが接続されている。かかるカットアウトには、種々の態様のものがあり、その一つとして円筒型カットアウトが提供されている。円筒型カットアウトは、図７（ａ）、及び図７（ｂ）に示す如く、第一端部と該第一端部の反対側の第二端部とを有するカットアウト本体６０であって、内部にヒューズ（図示しない）を収容可能な収容空間（図示しない）が形成されるとともに、該収容空間に連続する開口部６００が第一端部に形成されるカットアウト本体６０と、カットアウト本体６０の開口部６００に対して着脱可能に構成される蓋体６１と、カットアウト本体６０と蓋体６１とを連結する索条６２とを備えている。
【０００３】
カットアウト本体６０は、索条６２を連結するための第一連結部６０１を備える。第一連結部６０１は、カットアウト本体６０の第一端部の外周上に設けられる。
【０００４】
蓋体６１は、カットアウト本体６０の開口部６００に対して嵌入可能な蓋本体６１０と、蓋本体６１０の外面に突設された筒状部６１１と、索条６２を連結するための第二連結部６１２とを備える。第二連結部６１２は、筒状部６１１の外周上に設けられる。
【０００５】
索条６２の第一端部は、カットアウト本体６０の第一連結部６０１に連結される。そして、索条６２の第二端部は、蓋体６１の第二連結部６１２に連結される。これにより、カットアウト本体６０と蓋体６１とが索条６２によって連結されている。
【０００６】
上記構成の円筒型カットアウト６では、カットアウト本体６０に内装されたヒューズが送電方向上流側の電路と、送電方向下流側の電路とに電気的に接続されている。そして、上記構成の円筒型カットアウト６は、送電方向上流側から送電方向下流側に異常な電力が供給されると、ヒューズが送電方向上流側の電路と送電方向下流側の電路とを電気的に遮断するようになっている。
【０００７】
ところで、上記構成の円筒型カットアウト６は、ヒューズの交換作業や、保守点検作業等の各種作業を行うにあたり、間接活線工法によってカットアウト本体６０から蓋体６１が取り外される。かかる各種作業では、間接活線操作棒や絶縁ヤットコを用いて蓋体６１がカットアウト本体６０から取り外される。そして、作業が完了すると、間接活線操作棒を用いて、蓋体６１がカットアウト本体６０に取り付けられる。このとき、間接活線操作棒の先端部には、円筒型カットアウト６の蓋体取付工具（以下、単に取付工具という）が取り付けられる。
【０００８】
かかる取付工具は、間接活線操作棒に連結される第一端部と該第一端部の反対側の第二端部とを有するベースと、ベースの第二端部に連結される基端部と該基端部の反対側の先端部とを有するアームと、アームの先端部に連結され、蓋体６１の筒状部６１１に挿入可能な挿入部とを備えている。アームは、ベースに連結された間接活線操作棒に対して定姿勢で設けられている。挿入部は、ベースに連結された間接活線操作棒の軸心と交差する方向に延びるように配置されている。
【０００９】
そして、カットアウト本体６０に蓋体６１を取り付けるにあたり、取付工具の取り付けられた間接活線操作棒が作業者によって操作される。具体的に説明すると、上述のように、蓋体６１は、筒状部６１１の外周上に第二連結部６１２が設けられている。そのため、蓋体６１がカットアウト本体６０から吊り下げられた状態において、筒状部６１１が横方向（主として斜め上方）に向けて蓋本体６１０から延出した状態になる（図７（ｂ）参照）。これに伴い、この種の取付工具では、挿入部が蓋体６１の筒状部６１１に挿入可能な姿勢にされた上で、挿入部が筒状部６１１に挿入される。すなわち、挿入部は、作業者による間接活線操作棒の操作によって、蓋体６１の筒状部６１１と同心となるように姿勢変更された上で筒状部６１１に挿入される。
【００１０】
その後、挿入部の中心線の延びる方向（挿入部の筒状部６６１に対する挿入方向）とカットアウト本体６０に対する蓋体６１の取付方向（開口部６００に対する蓋本体６１０の嵌入方向）とが一致するように、間接活線操作棒の姿勢が変更される。これにより、筒状部６１１が横方向（斜め上方）に向けて延出した状態から、筒状部６１１が下方に向けて延出した状態に、蓋体６１の姿勢が変更される。そして、取付工具の挿入部を上方に移動させることで、蓋体６１がカットアウト本体６０に取り付けられる。
【先行技術文献】
【特許文献】
【００１１】
【特許文献１】特開２００６−１４７４７６号公報
【発明の概要】
【発明が解決しようとする課題】
【００１２】
ところで、上記構成の取付工具は、上述のように、挿入部が間接活線操作棒の軸心に対して交差する方向に延びている。そのため、上記構成の取付工具では、挿入部の姿勢を、蓋体６１の筒状部６１１に対して挿入可能な姿勢（又は蓋体６１の筒状部６１１に挿入された姿勢）から、カットアウト本体６０に対する蓋体６１の取付方向（開口部６００に対する蓋本体６１０の嵌入方向）と対応する姿勢に変更する際、間接活線操作棒の姿勢を大きく変更する必要がある。
【００１３】
さらに、上記構成の取付工具を用いる場合、挿入部から離れた間接活線操作棒の基端部が作業者の操作位置（把持位置）になる。また、挿入部が間接活線操作棒の軸線と交差する方向に延びている。これに伴い、作業者は、蓋体６１をカットアウト本体６０に取り付ける（蓋本体６１１をカットアウト本体６０の開口部６００に嵌入する）にあたり、間接活線操作棒を介してカットアウト本体６０（開口部６００）の斜め下方から蓋体６１を押し上げなければならない。そのため、蓋体６１に作業者の力が伝達されにくく、カットアウト本体６０に蓋体６１を取り付けることが困難であった。
【００１４】
そこで、本発明は、斯かる実情に鑑み、ヒューズを内装するカットアウト本体に対する蓋体の取り付け作業の作業性を向上させることのできる円筒型カットアウトの蓋体取付工具を提供することを課題とする。
【課題を解決するための手段】
【００１５】
本発明に係る円筒型カットアウトの蓋体取付工具は、第一端部と該第一端部の反対側の第二端部とを有するカットアウト本体であって、内部にヒューズを収容可能な収容空間が形成されるとともに、該収容空間に連続する開口部が第一端部に形成されたカットアウト本体と、カットアウト本体の開口部に対して着脱可能に構成される蓋体であって、外面に筒状部が突設された蓋体と、カットアウト本体と蓋体とを連結する索条とを備える円筒型カットアウトの蓋体取付工具であって、間接活線操作棒が連結される第一端部と該第一端部の反対側の第二端部とを有するベースと、ベースの第二端部に対して回転自在に連結される基端部と該基端部の反対側の先端部とを有するアームと、アームの先端部に連結され、蓋体の筒状部に挿入可能な挿入部と、ベースに連結された間接活線操作棒に対して挿入部が一列に並んだ状態で該アームの回転を規制可能なロック機構とを備え、該ロック機構は、ベースの第二端部に形成された切欠部と、アームに挿通され且つアームの先端と基端との間でスライド可能なロックピンであって、前記間接活線操作棒と挿入部とが一列に並んだ状態になると、切欠部に嵌合するように構成されるロックピンと、ロックピンをアームの基端部側に向けて付勢する付勢部材と、内部にアームが挿通され且つロックピンが固定されるカバー体であって、ロックピンとともにスライド可能なカバー体とを備えることを特徴とする。
【００１６】
上記構成の円筒型カットアウトの蓋体取付工具は、作業者がアームを回転させることで、アームに連結された挿入部が一緒に回転し、挿入部の姿勢を間接活線操作棒と交差する方向に延びる姿勢にすることができる。これにより、上記構成の円筒型カットアウトの蓋体取付工具は、カットアウト本体に蓋体を取り付けるにあたり、挿入部の姿勢を蓋体の筒状部の姿勢に対応させることができ、挿入部を蓋体の筒状部に容易に挿入することができる。
【００１７】
そして、挿入部を蓋体の筒状部に挿入した状態で、作業者が間接活線操作棒の先端側を下方に移動させると、挿入部が蓋体の筒状部に引っ掛かる。これに伴い、挿入部とアームとに回転力が作用し、アームとともに挿入部が回転する。これにより、上記構成の円筒型カットアウトの蓋体取付工具では、挿入部の姿勢が変更され、ベースに連結された間接活線操作棒に対して挿入部が一列に並んだ状態になる。この状態で、ロック機構は、アームのベースに対する回転を規制する。すなわち、ベースに連結された間接活線操作棒に対して挿入部が一列に並んだ状態になると、挿入部が蓋体の筒状部に挿入された状態で維持しつつベースに対して固定される。これに伴い、上記構成の円筒型カットアウトの蓋体取付工具では、間接活線操作棒の姿勢を大きく変更することなく、挿入部の姿勢を、蓋体の筒状部に対して挿入する姿勢（又は蓋体の筒状部に挿入された姿勢）から、カットアウト本体に対する蓋体の取付方向（開口部に対する蓋本体の嵌入方向）と対応する姿勢に変更することができる。
【００１８】
そして、間接活線操作棒をカットアウト本体と同列に並ぶように配置することで、カットアウト本体の開口部と蓋体とが同列に並んだ状態になり、作業者が間接活線操作棒を蓋体の真下から押し上げることで、蓋体をカットアウト本体に取り付けることができる。従って、上記構成の円筒型カットアウトの蓋体取付工具は、蓋体に作業者の力を充分に伝達することができるため、カットアウト本体に蓋体を容易に取り付けることができる。
【００１９】
以上のように、上記構成の円筒型カットアウトの蓋体取付工具では、簡単な操作で挿入部の姿勢変更の規制をした状態と、挿入部の姿勢変更の規制を解除した状態とに切り換えることができるため、カットアウト本体に対する蓋体の取り付け作業の効率を向上させることができる。また、上記構成の円筒型カットアウトの蓋体取付工具によれば、ベースに連結された間接活線操作棒に対して挿入部が一列に並んだ状態になると、ロックピンが切欠部に嵌合し、アームの回転（挿入部の姿勢変更）が規制された状態になる。これに対し、ロックピンがアームの基端部から先端部に向けてスライドされると、切欠部に対するロックピンの嵌合が解除される。これにより、アームが再び回転できる状態になり、挿入部が姿勢変更できるようになる。従って、上記構成の円筒型カットアウトの蓋体取付工具では、簡単な操作で挿入部の姿勢変更の規制をした状態と、挿入部の姿勢変更の規制を解除した状態とに切り換えることができる。
【００２０】
この場合、挿入部は、アームの回転によって、ベースに連結された間接活線操作棒に対して一列に並んだ第一姿勢と、該挿入部の先端部が該挿入部の基端部よりも間接活線操作棒側に位置する第二姿勢との間で姿勢変更可能に構成されることが好ましい。このようにすれば、カットアウト本体から吊り下げられた蓋体の筒状部が斜め上方に向けて延出しても、挿入部の姿勢を蓋体の筒状部の姿勢に対応させることができる。従って、上記構成の円筒型カットアウトの蓋体取付工具は、斜め上方に向けて延出した筒状部に挿入部を容易に挿入できる。
【発明の効果】
【００２５】
以上のように、本発明の円筒型カットアウトの蓋体取付工具によれば、ヒューズを内装するカットアウト本体に対する蓋体の取り付け作業の作業性を向上させることができるという優れた効果を奏し得る。
【図面の簡単な説明】
【００２６】
【図１】図１は、本発明の第一実施形態に係る円筒型カットアウトの蓋体取付工具の正面図である。
【図２】図２は、同実施形態に係る円筒型カットアウトの蓋体取付工具の側面図であって、ロック機構のカバー体を破断させた円筒型カットアウトの蓋体取付工具の側面図である。
【図３】図３は、同実施形態に係る円筒型カットアウトの蓋体取付工具の動作の説明図であって、図３（ａ）は、アームの回転に対する規制が解除されている状態であり、図３（ｂ）は、アームがベースに対して回転した状態である。
【図４】図４は、同実施形態に係る円筒型カットアウトの蓋体取付工具の動作の説明図であって、図４（ａ）は、挿入部と円筒型カットアウトの筒状部とが対向した配置になっている状態であり、図４（ｂ）は、挿入部が円筒型カットアウトの筒状部に挿入された状態である。
【図５】図５は、同実施形態に係る円筒型カットアウトの蓋体取付工具の動作の説明図であって、図５（ａ）は、ベースに連結された間接活線操作棒に対して挿入部が一列に並んだ状態であり、図５（ｂ）は、蓋体をカットアウト本体に取り付けた状態である。
【図６】図６は、本発明の第二実施形態に係る円筒型カットアウトの蓋体取付工具の断面図であって、図６（ａ）は、アームの回転に対する規制が解除されている状態であり、図６（ｂ）は、アームの回転が規制されている状態である。
【図７】図７は、本発明に係る円筒型カットアウトの蓋体取付工具が作業の対象とする円筒型カットアウトの正面図であって、図７（ａ）は、カットアウト本体に蓋体が取り付けられている状態であり、図７（ｂ）は、カットアウト本体から蓋体が取り外されている状態を示す。
【発明を実施するための形態】
【００２７】
以下、本発明に係る第一実施形態の円筒型カットアウトの蓋体取付工具（以下、単に取付工具という）について、添付図面を参照しつつ説明する。
【００２８】
本実施形態に係る取付工具は、図７（ａ）、及び図７（ｂ）に示す円筒型カットアウトを対象としている。すなわち、ヒューズを収容可能な収容空間が内部に形成されるとともに、該収容空間に連続する開口部６００が形成されるカットアウト本体６０と、カットアウト本体６０の開口部６００に取り付けられる蓋体６１とを備える円筒型カットアウト６に対して蓋体６１を取り付ける作業を行う際に用いられる。
【００２９】
本実施形態に係る取付工具は、図１、及び図２に示す如く、間接活線操作棒Ｈが連結される第一端部と該第一端部の反対側の第二端部とを有するベース２と、ベース２の第二端部に対して回転自在に連結される基端部と該基端部の反対側の先端部とを有するアーム３と、アーム３の先端部に連結され、蓋体６１の筒状部６１１に挿入可能な挿入部４と、ベース２に連結された間接活線操作棒Ｈに対して挿入部４が一列に並んだ状態（同方向に延びた状態）で該アーム３の回転を規制可能なロック機構５とを備えている。
【００３０】
ベース２は、第一端部と該第一端部の反対側の第二端部とを有するベース本体２０と、ベース本体２０の第一端部から延出する延出部２１とを備えている。ベース本体２０の第一端部側には、全周に亘って径方向外方に突出する鍔部２００が形成されている。
【００３１】
延出部２１は、板状に形成される。本実施形態では、一対の延出部２１，２１が設けられる。そして、一対の第一延出部２１，２１同士の間には、一対の第一延出部２１，２１同士の間隔を保つためのスペーサー２２が介設される。
【００３２】
一対の延出部２１，２１のそれぞれは、ベース本体２０の第一端部に連結された第一端部と該第一端部の反対側の第二端部とを有する。また、一対の延出部２１，２１のそれぞれの第二端部の外縁が円弧状に形成されている。そして、一対の延出部２１，２１のそれぞれの第二端部には、軸孔２１０ａが設けられている。さらに、一対の延出部２１，２１のそれぞれの第二端部の外縁上には、切欠部２１０ｂが形成されている。
【００３３】
アーム３は、図２に示す如く、板状に形成され、基端部と先端部とが並ぶ方向で長手をなしている。また、アーム３は、基端部側に第一貫通孔３０が設けられている。さらに、アーム３には、基端部から先端部に向けて真っ直ぐに延びる（当該アーム３の長手方向に真っ直ぐに延びる）長孔３１が形成されている。
【００３４】
本実施形態に係るアーム３の基端部は、ベース２の一対の延出部２１，２１の第二端部間に配置されている。本実施形態に係る取付工具１において、アーム３の厚みは、一対の延出部２１，２１同士の間隔と略同等に設定されている。本実施形態に係るアーム３の第一貫通孔３０、及び一対の延出部２１，２１の軸孔２１０ａ，２１０ａには、回転軸３２が挿通されている。これにより、アーム３は、回転軸３２を中心に回転可能に構成されている。アーム３の基端部側に位置する長孔３１の端部は、ベース３に連結された間接活線操作棒Ｈとアーム３とが同方向に延びる状態になると、一対の延出部２１，２１のそれぞれの切欠部２１０ｂと重なるように形成されている。
【００３５】
本実施形態に係る挿入部４は、外観円柱状に形成されている。そして、挿入部４は、外周上に蛍光塗料を塗布したり、蛍光テープＴを貼付したりすることで視認性を向上させることができる。本実施形態に係る挿入部４の外周上には、蛍光テープＴが貼付されている。
【００３６】
ロック機構５は、ベース２の第二端部（一対の延出部２１，２１のそれぞれの第二端部）に形成された切欠部２１０ｂと、アーム３に挿通されたロックピン５０であって、アーム３の先端と基端との間でスライド可能に設けられたロックピン５０と、ロックピン５０をアーム３の基端部側に向けて付勢する付勢部材５１とを備えている。本実施形態に係るロック機構５は、ロックピン５０とともにスライド可能なカバー体５２をさらに備えている。本実施形態において、ロックピン５０は、アーム３の長孔３１に挿通され、両端がカバー体に固定されている。
【００３７】
付勢部材５１は、圧縮コイルバネが採用されている。そして、付勢部材５１は、アーム３の長孔３１内でロックピン５０よりもアーム３の先端部側に配置されている。これにより、ロックピン５０は、付勢部材５１によって、アーム３の基端部側に向けて付勢された状態になっている。これにより、本実施形態に係るロック機構５は、ベース２に連結された間接活線操作棒Ｈに対して挿入部４が一列に並んだ状態になると、ロックピン５が一対の延出部２１，２１のそれぞれの切欠部２１０ｂに嵌合するように構成されている。すなわち、本実施形態に係るロック機構５は、ベース２に連結された間接活線操作棒Ｈに対して挿入部４が一列に並んだ状態になると、アーム３及び挿入部４の回転を規制するように構成されている。
【００３８】
また、本実施形態に係るロック機構５では、アーム３の基端部側から先端部側に向けて付勢部材５１の付勢力を上回る外力をロックピン５０（カバー体５２）に作用させると、ロックピン５０がアーム３の基端部側からアーム３の先端部側に向けてスライドする。これにより、ロック機構５では、一対の延出部２１，２１のそれぞれの切欠部２１０ｂに対するロックピン５０の嵌合が解除され、アーム３の回転に対する規制が解除されるようになっている。
【００３９】
本実施形態において、付勢部材５１の付勢力は、アーム３の回転を妨げない程度に設定されている。具体的に説明すると、付勢部材５１の付勢力は、挿入部４の先端部に対して回転軸３２と直交する方向で５０ｇ〜６０ｇ、好ましくは、５５ｇ〜５７ｇ、より好ましくは、５６ｇ程度の荷重を作用させると、アーム３が回転するように設定されている。
【００４０】
カバー体５２は、筒状（本実施形態では、円筒状）に形成されており、中心線方向において、第一開口端と該第一開口端の反対側の第二開口端とを有する。本実施形態に係るカバー体５２は、挿入部４側に第一開口端が位置し、ベース２側に第二開口端が位置するように配置されている。そして、カバー体５２の内部には、アーム３が挿通されている。すなわち、カバー体５２は、アーム３と、ロックピン５０と、付勢部材５１とを覆っている。
【００４１】
本実施形態に係るカバー体５２の第二開口端には、回転軸３２の中心線に沿って延びる軸線を境とした両側が切り欠かれることによって、退避用切欠部５２０が形成されている。そのため、本実施形態に係る取付工具１では、アーム３が回転する際に、カバー体５２の第二開口端がベース２（一対の延出体２１０ａのそれぞれ）に干渉することが防止される。これにより、本実施形態に係る取付工具１において、挿入部４は、アーム３の回転によって、ベース２に連結された間接活線操作棒Ｈに対して一列に並んだ第一姿勢と、該挿入部４の先端部が該挿入部４の基端部よりも間接活線操作棒側Ｈに位置する第二姿勢との間で姿勢変更可能に構成されている。
【００４２】
本実施形態に係る取付工具１は、以上の通りであり、続いて、取付工具１を用いてカットアウト本体６０から取り外された状態の蓋体６１を該カットアウト本体６０に取り付ける作業について、添付図面を参照しつつ説明する。
【００４３】
図３（ａ）、及び図３（ｂ）に示す如く、本実施形態に係る取付工具１は、間接活線操作棒Ｈに対して挿入部４が一列に並んだ状態になっている場合、作業者がカバー体５２をアーム３の先端部側にスライドさせることで、一対の延出部２１，２１のそれぞれの切欠部２１０ｂに対するロックピン５０の嵌合が解除される。そして、作業者がアーム３を回転させてアーム３に連結された挿入部４を一緒に回転させることによって、挿入部４の姿勢が間接活線操作棒Ｈの軸心と交差する方向に延びた姿勢に変更される（図３（ａ）参照）。
【００４４】
そして、作業者によって間接活線操作棒Ｈが操作されることで、図４（ａ）に示す如く、挿入部４の姿勢が蓋体６１の筒状部６１１と同心になるように姿勢変更される。このような状態で、図４（ｂ）に示す如く、挿入部４が蓋体６１の筒状部６１１に挿入される。
【００４５】
そして、挿入部４を蓋体６１の筒状部６１１に挿入した状態で、作業者が間接活線操作棒Ｈを下方に移動させると、挿入部４が蓋体６１の筒状部６１１に引っ掛かる。これに伴い、挿入部４とアーム３とに回転力が作用し、アーム３とともに挿入部４が回転する。これにより、本実施形態に係る取付工具１では、挿入部４とともにアーム３の姿勢が変更され、間接活線操作棒Ｈに対して挿入部４が一列に並んだ状態になる。そして、ロック機構５がアーム３のベース２に対する回転を規制する。すなわち、間接活線操作棒Ｈと蓋体６１の筒状部６１１とが同列に並んだ状態になると、挿入部４が蓋体６１の筒状部６１１に挿入された状態で維持しつつベース２に対して固定される。
【００４６】
このような状態で、図５（ａ）に示す如く、間接活線操作棒Ｈをカットアウト本体６０と同列に並ぶように配置することで、カットアウト本体６０の開口部６００と蓋体６１とが同列に並んだ状態になる。これにより、作業者が間接活線操作棒Ｈを蓋体６１の真下から押し上げることで、図５（ｂ）に示す如く、蓋体６１をカットアウト本体６０に取り付けることができる。
【００４７】
以上のように、本実施形態に係る取付工具１によれば、作業者がアーム３を回転させてアーム３に連結された挿入部４を一緒に回転させることによって、挿入部４の姿勢が間接活線操作棒Ｈの軸心と交差する方向に延びた姿勢に変更される。これにより、本実施形態に係る取付工具１では、ベース２に連結された間接活線操作棒Ｈの姿勢を大きく変更することなく挿入部４の姿勢を蓋体６１の筒状部６１１に対して挿入する姿勢（又は蓋体６１の筒状部６１１に挿入された姿勢）から、カットアウト本体６０に対する蓋体６１の取付方向（開口部６００に対する蓋本体６１０の嵌入方向）と対応する姿勢に変更することができる。従って、本実施形態に係る取付工具１は、ヒューズを内装するカットアウト本体６０に対する蓋体６１の取り付け作業の作業性を向上させることができるという優れた効果を奏し得る。
【００４８】
また、本実施形態に係る取付工具１によれば、間接活線操作棒Ｈをカットアウト本体６０と同列に並ぶように配置することで、カットアウト本体６０の開口部６００と蓋体６１とが同列に並んだ状態になり、作業者が間接活線操作棒Ｈを蓋体６１の真下から押し上げることで、蓋体６１をカットアウト本体６０に取り付けることができる。従って、本実施形態に係る取付工具１は、蓋体６１に作業者の力を充分に伝達することができるため、カットアウト本体６０に蓋体６１を容易に取り付けることができる。
【００４９】
続いて、本発明の第二実施形態に係る取付工具について図６（ａ）、及び図６（ｂ）を参照しつつ説明を行うこととする。なお、第一実施形態と相当する構成、又は同一の構成については、同一名称及び同一符号を付して説明を割愛する。
【００５０】
本実施形態に係るアーム３の先端部側には、ガイド孔３３が形成されている。ガイド孔３３は、アーム３の第一端部と第二端部とが並ぶ方向に延びるように形成される。
【００５１】
挿入部４は、筒状に形成されている。また、挿入部４は、第一端部と該第一端部の反対側の第二端部とを有する。本実施形態に係る挿入部４は、第一端部が閉塞されており、アーム３の先端部が第二端部側から挿入されている。挿入部４には、アーム３のガイド孔３３に挿通されたガイドピン４０が固定されている。挿入部４には、一対の第二貫通孔４１，４１が形成されている。一対の第二貫通孔４１，４１のそれぞれは、挿入部４の中心線を境として互いに対称となる位置に形成されている。また、挿入部４の第二端部には、一対の上側切欠部４２，４２が形成されている。また、一対の上側切欠部４２，４２のそれぞれは、挿入部４の中心線を境として互いに対称となる位置に形成されている。本実施形態に係る一対の上側切欠部４２，４２のそれぞれは、後述する移動用凹部（採番しない）の一部となるテーパ面を形成する。挿入部４は、当該挿入部４の中心線が延びる方向において、一方の第二貫通孔４１と一方の上側切欠部４２とが同列に並び、他方の第二貫通孔４１と他方の上側切欠部４２とが同列に並ぶように構成されている。
【００５２】
本実施形態に係るロック機構５は、カバー体５２が自身の中心線に沿ってスライドすることで、カバー体５２の第一開口端が挿入部４の第二端部と接離可能に構成されている。カバー体５２は、第一開口端に一対の下側切欠部５２２，５２２が設けられている。また、一対の下側切欠部５２２，５２２のそれぞれは、カバー体５２の中心線を境として互いに対称となる位置に形成されている。
【００５３】
一方の下側切欠部５２２は、カバー体５２の中心線が延びる方向において一方の上側切欠部４２と対応する位置に形成されている。また、他方の下側切欠部５２２は、カバー体５２の中心線が延びる方向において他方の上側切欠部４２と対応する位置に形成されている。そして、本実施形態に係る一対の下側切欠部５２２，５２２のそれぞれは、後述する移動用凹部（採番しない）の一部となるテーパ面を形成する。従って、本実施形態に係る取付工具１は、カバー体５２の第一開口端と、挿入部４の第二端部とが当接した状態において、一方の上側切欠部４２と一方の下側切欠部５２２とが一つの移動用凹部を形成し、他方の上側切欠部４２と他方の下側切欠部５２２とが一つの移動用凹部を形成するように構成されている。
【００５４】
本実施形態に係る取付工具１は、蓋体保持機構７をさらに備えている。蓋体保持機構７は、一対の保持体７０，７０と、一対の保持体７０，７０のそれぞれを互いに離間させる方向に付勢する保持体用付勢部材７１とを備えている。
【００５５】
一対の保持体７０，７０のそれぞれは、第一端部と該第一端部の反対側の第二端部を有する保持体本体７００と、保持体本体７００の第一端部側に設けられる押圧部７０１と、保持体本体７００の第二端部側に設けられる突出部７０２とを備えている。
【００５６】
一対の保持体本体７００，７００のそれぞれは、自身の第一端部と第二端部とが並ぶ方向で長手をなしている。また、一対の保持体本体７００，７００のそれぞれは、第一端部がアーム３の先端部に軸支されている。そのため、一対の保持体本体７００，７００のそれぞれは、自身の第一端部側を中心として回転可能に構成されている。一対の押圧部７０１，７０１のそれぞれは、保持体本体７００の第二端部から上側切欠部４２、及び下側切欠部５２２に向けて延出している。一対の突出部７０２，７０２のそれぞれは、保持体本体７００，７００の第一端部から挿入部４の第二貫通孔４１に向けて延出している。
【００５７】
本実施形態に係る取付工具１についての説明は、以上の通りであり、続いて、該取付工具１を用いてカットアウト本体６０から取り外された状態の蓋体６１を該カットアウト本体６０に取り付ける作業について、添付図面を参照しつつ説明する。なお、本実施形態に係る取付工具１では、基本的な操作が第一実施形態と共通しているため、本実施形態においては、蓋体保持機構７の動作についてのみ説明を行う。
【００５８】
本実施形態に係る取付工具１では、図６（ｂ）に示す如く、作業者がカバー体５２をアーム３の基端部側から先端部側に向けてスライドさせることによって、挿入部４とカバー体５２とが当接した状態される。このとき、一対の延出部２１，２１のそれぞれの切欠部２１０ｂに対するロックピン５０の嵌合が解除される。また、一対の保持体本体７００，７００のそれぞれの押圧部７０１は、挿入部４の上側切欠部４２のテーパ面とカバー体５２の下側切欠部５２２テーパ面とに押圧されて第二端部が互いに接近するように回転し、一対の保持体本体７００，７００のそれぞれの突出部７０２の先端部が挿入部４の内部に入り込む。
【００５９】
そして、作業者がアーム３を回転させてアーム３に連結された挿入部４を一緒に回転させることによって、挿入部４の姿勢が間接活線操作棒Ｈの軸心と交差する方向に延びた姿勢に変更された上で挿入部４が蓋体６１の筒状部６１１に挿入される。このとき、上述の如く、一対の保持体本体７００，７００のそれぞれの突出部７０２の先端部が挿入部４の内部に入り込んでいるため、蓋体６１の筒状部６１１に一対の保持体本体７００，７００のそれぞれの突出部７０２の先端部が干渉することなく、挿入部４を蓋体６１の筒状部６１１にスムーズに挿入することができる。
【００６０】
さらに、本実施形態に係る取付工具１では、作業者が間接活線操作棒Ｈを下方に移動させることで間接活線操作棒Ｈに対して挿入部４が一列に並んだ状態になると、ロックピン５０が一対の延出部２１，２１のそれぞれの切欠部２１０ｂに嵌合する。これに伴い、カバー体５２は、付勢部材５１の付近でアーム３の基端部側にスライドして挿入部４から離間する。
【００６１】
これにより、図６（ａ）に示す如く、一対の保持体７０，７０のそれぞれは、押圧部７０１が上側切欠部４２と下側切欠部５２２との間（移動用凹部）に介在した状態になり、第二端部側が互いに離間するように回転する。そして、一対の保持体７０，７０のそれぞれの突出部７０２の先端部が第二貫通孔４１を通じて挿入部４の内部から挿入部４の外部に延出する。従って、一対の保持体７０，７０のそれぞれの突出部７０２の先端部が蓋体６１の筒状部６１１の内部が圧接した状態になる。
【００６２】
そして、本実施形態に係る取付工具１では、作業者が間接活線操作棒Ｈを蓋体６１の下方から押し上げることで挿入部４がカットアウト本体６０に取り付けられた蓋体６１に押し付けられると、挿入部４がアーム３の基端部側にスライドし、挿入部４とカバー体５２とが再び当接した状態になる。すなわち、ロックピン５０が一対の延出部２１，２１のそれぞれの切欠部２１０ｂに嵌合している状態でカバー体５２は、アーム３の基端部側に位置しているため、挿込部４がカバー体５２側にスライドして挿入部４とカバー体５２とが互いに当接する。
【００６３】
このとき、一対の保持体本体７００，７００のそれぞれの突出部７０２が第二貫通孔４１の内面に押圧されるとともに、一対の保持体本体７００，７００のそれぞれの押圧部７０１が挿入部４の上側切欠部４２のテーパ面とカバー体５２の下側切欠部５２２テーパ面とに押圧される。これにより、一対の保持体本体７００，７００のそれぞれは、互いの第二端部同士が接近するように回転する。これにより、一対の保持体本体７００，７００のそれぞれの突出部７０２の先端部が挿入部４の内部に入り込む。
【００６４】
以上のように、本実施形態に係る取付工具１によれば、作業者がアーム３を回転させてアーム３に連結された挿入部４を一緒に回転させることによって、挿入部４の姿勢が間接活線操作棒Ｈの軸心と交差する方向に延びた姿勢に変更される。これにより、本実施形態に係る取付工具１では、ベース２に連結された間接活線操作棒Ｈの姿勢を大きく変更することなく挿入部４の姿勢を蓋体６１の筒状部６１１に対して挿入する姿勢（又は蓋体６１の筒状部６１１に挿入された姿勢）から、カットアウト本体６０に対する蓋体６１の取付方向（開口部６００に対する蓋本体６１０の嵌入方向）と対応する姿勢に変更することができる。従って、本実施形態に係る取付工具１は、ヒューズを内装するカットアウト本体６０に対する蓋体６１の取り付け作業の作業性を向上させることができるという優れた効果を奏し得る。
【００６５】
また、本実施形態に係る取付工具１によれば、間接活線操作棒Ｈをカットアウト本体６０と同列に並ぶように配置することで、カットアウト本体６０の開口部６００と蓋体６１とが同列に並んだ状態になり、作業者が間接活線操作棒Ｈを蓋体６１の真下から押し上げることで、蓋体６１をカットアウト本体６０に取り付けることができる。従って、本実施形態に係る取付工具１は、蓋体６１に作業者の力を充分に伝達することができるため、カットアウト本体６０に蓋体６１を容易に取り付けることができる。
【００６６】
そして、本実施形態に係る取付工具１では、蓋体保持機構７が円筒型カットアウト６の蓋体６１を保持することができるため、間接活線操作棒Ｈを操作するときに、挿入部４から円筒型カットアウト６の蓋体６１が外れてしまうことを防止できる。さらに、本実施形態に係る取付工具１では、カットアウト本体６０に対して蓋体６１を押し付けることによって、蓋体保持機構７の円筒型カットアウト６の蓋体６１に対する保持を容易に解除することもできる。
【００６７】
尚、本発明に係る円筒型カットアウトの蓋体取付工具は、上記実施形態に限定されるものではなく、本発明の要旨を逸脱しない範囲内において種々の変更を加え得ることは勿論である。
【００６８】
上記第一実施形態、及び第二実施形態において、延出部２１は、一対の延出部２１，２１を備えていたが、これに限定されるものではなく、例えば、一つの延出部２１を備えるようにすることもできる。
【００６９】
また、上記第一実施形態、及び第二実施形態において、ロック機構５の付勢部材５１は、アーム３の長孔３１に配置されていたが、これに限定されるものではなく、例えば、挿入部４とカバー体５２との間に付勢部材５１を介在させて、該カバー体５２がアーム３の基端部側に付勢されるようにしてもよい。
【００７０】
また、上記第一実施形態、及び第二実施形態において、ロック機構５は、ロックピン５０が一対の延出部２１，２１のそれぞれの切欠部２１０ｂに嵌合することでアーム３の回転を規制するように構成されていたが、これに限定されるものではなく、例えば、カバー体５２がアーム３とベース２の延出部２１とを覆うことによって、アーム３の回転を規制するように構成してもよい。
【００７１】
また、上記第一実施形態、及び第二実施形態において、特に言及しなかったが、ロックピン５０は、一対の延出部２１，２１の第二端部の外縁部と当接する部分に周方向に延びる線状の凹部又は凸部が形成されていてもよい。このようにすれば、ロックピン５０と
一対の延出部２１，２１の第二端部の外縁部との接触面積を小さくすることができる。従って、取付工具１は、上記構成を採用することでアーム３を回転させる際に挿入部４に作用させる荷重を小さくすることができる。
【００７２】
また、上記第二実施形態において、挿込部４は、第二貫通孔４１が保持体本体７００の突出部７０２を押圧し、上側切欠部４２が保持体本体７００の押圧部７０１を押圧するように構成されていたが、これに限定されるものではなく、例えば、第二貫通孔４１のみが保持体本体７００の突出部７０２を押圧したり、上側切欠部４２のみが保持体本体７００の押圧部７０１を押圧するように構成してもよい。
【符号の説明】
【００７３】
１…カットアウトの蓋体取付工具（取付工具）、２…ベース、３…アーム、４…挿入部、５…ロック機構、６…円筒型カットアウト、７…蓋体保持機構、２０…ベース本体、２１…延出部、２２…スペーサー、３０…第一貫通孔、３１…長孔、３２…回転軸、３３…ガイド孔、４０…ガイドピン、４１…第二貫通孔、４２…上側切欠部、５０…ロックピン、５１…付勢部材、５２…カバー体、６０…カットアウト本体、６１…蓋体、６２…索条、７０…保持体、７１…保持体用付勢部材、２００…鍔部、２１０ａ…軸孔、２１０ｂ…切欠部、５２０…退避用切欠部、５２２…下側切欠部、６００…開口部、６０１…第一連結部、６１０…蓋本体、６１１…筒状部、６１２…第二連結部、７００…保持体本体、７０１…押圧部、７０２…突出部、Ｈ…間接活線操作棒、Ｔ…蛍光テープ
【図１】
0005859316.tif 000002
【図２】
0005859316.tif 000003
【図３】
0005859316.tif 000004
【図４】
0005859316.tif 000005
【図５】
0005859316.tif 000006
【図６】
0005859316.tif 000007
【図７】
0005859316.tif 000008